(57)【特許請求の範囲】
【請求項１】
ハウジング内に駆動軸と共に回転可能に支持されたシリンダバレルと、前記シリンダバレルに軸方向に摺動可能に挿入された複数個のプランジャの頭部と摺動可能にされかつ前記駆動軸の回転方向には回転不能に前記ハウジング内に支持された斜板と、前記斜板の周方向の一端をばね部材に抗して前記プランジャの頭部に向けて摺動可能にされたシリンダ機構と、を有する可変容量型ピストンポンプにおいて、
前記シリンダ機構は、
前記ハウジングに螺着されたシリンダと、
前記シリンダ内に摺動可能に装着されたガイドピストンと、
前記ガイドピストンの先端部及び前記斜板の先端に設けられ前記プランジャ側に位置する前記ばね部材と、
前記ガイドピストンに螺着されたストッパーボルト部材と、
前記シリンダに螺着され前記ストッパーボルト部材の軸心方向に変位可能なスリーブと、
前記スリーブの内孔に嵌合し前記ストッパーボルト部材を停止するストッパと、
前記スリーブに螺着し該スリーブの軸心方向に変位可能な位置調整ロッドと、
を備え、
前記ばね部材の反対側の前記ガイドピストンにはパイロット圧力を接続し、前記パイロット信号圧により前記ガイドピストンがストロークし前記ばね部材の荷重が変化するようにして前記パイロット圧力によりポンプ入力馬力を調整すること特徴とする可変容量型ピストンポンプ入力馬力調整方法。
【請求項２】
請求項１記載の可変容量型ピストンポンプ入力馬力調整方法において、
前記ガイドピストンのストロークは前記ストッパ及び前記位置調整ロッドにより規制され、かつ前記スリーブ及び前記位置調整ロッドはそれぞれその位置を調整可能であることを特徴とする可変容量型ピストンポンプ入力馬力調整方法。
【発明の詳細な説明】
【技術分野】
【０００１】
本発明は建設機械や産業機械用に用いられる可変容量型ピストンポンプに関するもので、さらに詳細には可変容量型ピストンポンプ入力馬力設定方法に関するものである。
【背景技術】
【０００２】
従来、この種の斜板式可変容量型ピストンポンプとしては、例えば特許文献１及び特許文献２に示すものがある。いずれもポンプの入力馬力を一定に制御するため、ポンプ吐出圧力に応じて斜板の角度である傾転角を変化させて吐出流量を変化させる。例えば吐出圧力が上昇すると傾転角を小さくしてポンプ吐出量を減少させている。この馬力制御を一般的に定馬力制御と呼ぶ。
同様に例えば特許文献３に示すものがあり、この場合一般的な定馬力制御に加え、駆動源となる原動機の負荷余裕度に応じて外部信号により当初の設定馬力に対して減馬力したり増馬力することができる。
【先行技術文献】
【特許文献】
【０００３】
【特許文献１】実開平４−０６７７５号公報
【特許文献２】実開平７−０３８６０１号公報
【特許文献３】特開平５−１８０１６８号公報
【発明の概要】
【発明が解決しようとする課題】
【０００４】
しかしながら、特許文献１では、スプリング力によって設定された入力馬力を、外部信号によって変化させることはできない。
特許文献２では、傾転軸に連結されたアームに、パイロット圧力により作動するピストンを連接することで入力馬力の変更が可能であるが、構造が複雑になりまた部品点数が増えるという問題があった。また馬力の変化量はピストンの受圧面積に比例するためスペースの制約から馬力変化量を大きくすることには限界があった。
【０００５】
さらに、特許文献３では、定馬力制御をレギュレータを用いて行っており、レギュレータに作用する荷重自体が比較的小さいため馬力変化量を大きくとることができるが、レギュレータ方式の定馬力制御自体構造が複雑で大きなスペースを必要とするうえ高コストとなり、特にミニショベル用のポンプに適用することは現実的でない。
本発明は係る課題を解決するためになされたもので、部品点数を大幅に増やすことなく、入力馬力の変化量を大きくとることができるコンパクトで、且つ低コストで製造可能な可変容量型ピストンポンプ入力馬力設定方法を提供することを目的とする。
【課題を解決するための手段】
【０００６】
前記課題を解決するための本発明は、
ハウジング内に駆動軸と共に回転可能に支持されたシリンダバレルと、前記シリンダバレルに軸方向に摺動可能に挿入された複数個のプランジャの頭部と摺動可能にされかつ前記駆動軸の回転方向には回転不能に前記ハウジング内に支持された斜板と、前記斜板の周方向の一端をばね部材に抗して前記プランジャの頭部に向けて摺動可能にされたシリンダ機構と、を有する可変容量型ピストンポンプにおいて、
前記シリンダ機構は、
前記ハウジングに螺着されたシリンダと、
前記シリンダ内に摺動可能に装着されたガイドピストンと、
前記ガイドピストンの先端部及び前記斜板の先端に設けられ前記プランジャ側に位置する前記ばね部材と、
前記ガイドピストンに螺着されたストッパ―ボルト部材と、
前記シリンダに螺着され前記ストッパ―ボルト部材の軸心方向に変位可能なスリーブと、
前記スリーブの内孔に嵌合し前記ストッパ―ボルト部材を停止するストッパと、
前記スリーブに螺着し該スリーブの軸心方向に変位可能な位置調整ロッドと、
を備え、
前記ばね部材の反対側の前記ガイドピストンにはパイロット圧力を接続し、前記パイロット信号圧により前記ガイドピストンがストロークし前記ばね部材の荷重が変化するようにして前記パイロット圧力によりポンプ入力馬力を調整することを特徴とする。
さらに本発明は、請求項１記載の可変容量型ピストンポンプ入力馬力調整方法において、
前記ガイドピストンのストロークは前記ストッパ及び前記位置調整ロッドにより規制され、かつ前記スリーブ及び前記位置調整ロッドはそれぞれその位置を調整可能であることを特徴とする。
【発明の効果】
【０００７】
本発明によれば、レギュレータを用いない定馬力制御ポンプにおいてもパイロット圧力によりポンプ入力馬力を大きく変化させることができ、部品点数を大幅に増やすことなく構成することが可能なため、安価な製品を提供することが可能になった。
【図面の簡単な説明】
【０００８】
【図１】本発明の実施の形態に係る可変容量型ピストンの概略構造を示す縦断面図である。
【図２】図１の動作説明図である。
【図３】吐出流量―吐出圧力の関係を示す線図である。
【発明を実施するための形態】
【０００９】
以下、本発明の可変容量型ピストンポンプ入力馬力設定方法につき好適の実施の形態を挙げ、添付図面を参照して詳細に説明する。
図１において可変容量型ピストンポンプ１０は、駆動軸１３と共に回転可能にハウジング１１、１２内に支持されたシリンダバレル１４と、前記シリンダバレル１４に軸方向に摺動可能に挿入された複数個のプランジャ１５の頭部とシュー１６及びシューホルダ２１を介して摺接可能にされ、かつ駆動軸１３の回転に対して相対回転不能にハウジング１１、１２に支持された斜板１８と、を備える。
【００１０】
前記プランジャ１５は、駆動軸１３と直角な回転軸１９を持つ前記斜板１８に摺接し、駆動軸１３が１回転すると駆動軸１３の軸心方向にストロークする。そして、プランジャ１５の軸心方向の往復によるプランジャ室２０の容積変化とシリンダバレル１４を摺接する弁板２３によって、吸入工程と吐出工程が切り換えられることにより、流体を吐出するピストンポンプ１０を構成している。
前記斜板１８の回転軸１９は、前記プランジャ１５が摺接する斜板１８の平面３０の反プランジャ側に位置している。
【００１１】
さらに、駆動軸１３と並行に設けられたコントロールシリンダ３１を配置している。このコントロールシリンダ３１はハウジング１２に例えば、ねじ機構により締結されたシリンダ３２と、該シリンダ３２に摺動自在に嵌挿されたコントロールピストン３３と、を備える。前記コントロールシリンダ３１の内部には、二次圧力を調整することが可能な減圧弁（図示しない）二次圧力を導くようになっている。
【００１２】
ハウジング１２には駆動軸３２に略同軸方向にシリンダ機構３５が一体的に設けられている。
シリンダ機構３５は、ハウジング１２に螺着されたシリンダ３６と、前記シリンダ３６の内孔３７に摺動自在に嵌挿された段付形状のガイドピストン３８と、前記ガイドピストン３８の開口部３９の底部に螺着されたストッパーボルト部材４０と、シリンダ３６の内孔に螺着されストッパーボルト部材４０の軸芯方向に変位可能なスリーブ４１と、前記スリーブ４１に螺着し該スリーブ４１の軸芯方向に変位可能な位置調整ロッド４２と、を備える。
【００１３】
さらに、斜板１８の平面３０とガイドピストン３８の先端部３８ａとの間に係合するばね部材４３と、スリーブ４１の先端（図１で左端面）の内孔に嵌合しボルト部材４０を停止するストッパ４４と、を備える。
参照符号４５、４６は調整ナットを示すもので、調整ナット４５はスリーブ４１に螺合しており、調整ナット４６は位置調整部材４２に螺合しており、スリーブ４１、位置調整
部材４２の位置調整後、調整ナット４５、４６により位置決めされている。
【００１４】
本発明の実施の形態に係る可変容量型ピストンポンプ１０は、基本的には以上のように構成されるものであり、次に動作ならびに作用効果について説明する。
図１において、パイロット圧力４７の入力によりガイドピストン３８はばね部材４３の弾発力に打ち勝って該ばね部材４３を圧縮する方向（図１で左方向）にストロークし、ストッパーボルト部材４０がストッパ４４に当接する。その結果、パイロット圧力４７が入力されていない時に対してばね部材４３の弾発力は増加し、ポンプの入力馬力は増大する。
一方、パイロット圧力４７が入力されない時はばね部材４３の弾発力によりガイドピストン３８はばね部材４３と反対方向（図１で右方向）に押し戻され、ガイドピストン３８は位置調整ロッドに当接する。
【００１５】
その結果、ばね部材４３の弾発力は低下し、ポンプの入力馬力は低下する。
このように、本発明はばね部材４３の弾発力をガイドピストン３８のストロークにより直接変化させるため、ばね部材４３の弾発力を大きく変化させることができ、ポンプの入力馬力の変化量を大きくすることが可能となる。
またガイドピストン３８のストロークはストッパ４４と位置調整ロッド４２の位置により決定し、ストッパ４４と位置調整ロッド４２の位置は調整可能としたことで、様々な仕様に合わせて図３に示すように入力馬力や馬力変化量が調整可能となった。
【符号の説明】
【００１６】
１０  可変容量型ピストンポンプ    １１、１２  ハウジング
１３  駆動軸                      １４  シリンダバレル
１５  プランジャ                  １８  斜板
３１  コントロールシリンダ        ３２  シリンダ
３３  コントロールピストン        ３５  シリンダ機構
３６  シリンダ                    ３８  ガイドピストン
４０  ストッパーボルト部材        ４１  スリーブ
４２  位置調整ロッド              ４３  ばね部材
４４  ストッパ                    ４５、４６  調整ナット
４７  パイロット圧力
【図１】
0006593117.tif 000002
【図２】
0006593117.tif 000003
【図３】
0006593117.tif 000004